(57)【特許請求の範囲】
【請求項１】
汚物を受けるボウル部と、
前記ボウル部の下部に形成され、排水路に接続される溜水部と
を備え、
前記溜水部は、前面部と、後面部と、一対の側面部とを有し、
前記溜水部には、排水路が接続される第１領域と、前記第１領域よりも前方に位置する第２領域とが形成され、
前記第１領域には、上方領域と、前記上方領域よりも下方に形成される下方領域とが形成され、
前記上方領域において前記後面部と前記側面部とを接続する水平方向の曲面の曲率は、前記下方領域において前記後面部と前記側面部とを接続する水平方向の曲面の曲率よりも大きい
ことを特徴とする水洗大便器。
【請求項２】
前記第１領域を形成する水平方向の曲面は、前記上方領域から前記下方領域に向けて徐々に曲率が変化する
ことを特徴とする請求項１に記載の水洗大便器。
【請求項３】
前記上方領域を形成する水平方向の曲面の曲率は、前記第２領域を形成する水平方向の曲面の曲率とは異なる
ことを特徴とする請求項１または２に記載の水洗大便器。
【請求項４】
前記下方領域を形成する水平方向の曲面の曲率は、前記第２領域を形成する水平方向の曲面の曲率よりも小さい
ことを特徴とする請求項１〜３のいずれか一つに記載の水洗大便器。
【発明の詳細な説明】
【技術分野】
【０００１】
開示の実施形態は、水洗大便器に関する。
【背景技術】
【０００２】
従来、リム部に沿って旋回する洗浄水の主流をボウル部の前方から溜水部に流入させる水洗大便器が知られている（例えば、特許文献１参照）。また、ボウル部の下方に設けられる溜水部において旋回流を形成し、排水路から汚物を排出させる水洗大便器が知られている（例えば、特許文献２参照）。
【先行技術文献】
【特許文献】
【０００３】
【特許文献１】特許第５５５３１８８号公報
【特許文献２】特開２０１７−１４５６３１号公報
【発明の概要】
【発明が解決しようとする課題】
【０００４】
しかし、上記する水洗大便器では、水洗大便器の小型化のため、ボウル部の前後方向の長さを短くすると、洗浄水の流速が大きくなり、ボウル部の前方から溜水部に流入せず、汚物の排出性が低下するおそれがある。また、洗浄水の流速が大きくなると、溜水部における旋回流が大きくなり、旋回流の中心部において汚物の攪拌性が低下し、汚物の排出性が低下するおそれがある。
【０００５】
実施形態の一態様は、汚物の排出性を向上させる水洗大便器を提供することを目的とする。
【課題を解決するための手段】
【０００６】
実施形態の一態様に係る水洗大便器は、ボウル部と、溜水部とを備える。ボウル部は、汚物を受ける。溜水部は、ボウル部の下部に形成され、排水路に接続される。溜水部には、排水路が接続される第１領域と、第１領域よりも前方に位置する第２領域とが形成される。第１領域を形成する溜水部の曲面は、上下方向における曲率が異なることを特徴とする。
【０００７】
これにより、水洗大便器は、第１領域の上下方向において、主に汚物を攪拌させる旋回流と、主に汚物を排出路に押し込み、汚物を排出させる旋回流とを形成することができる。そのため、水洗大便器は、汚物の攪拌性を向上させ、汚物の排出性を向上させることができる。
【０００８】
また、前記第１領域には、上方領域と、前記上方領域よりも下方に形成される下方領域とが形成され、前記上方領域を形成する曲面の曲率は、前記下方領域を形成する曲面の曲率よりも大きいことを特徴とする。
【０００９】
これにより、水洗大便器は、上方領域において流速の変化が大きい旋回流を形成し、汚物を攪拌させることができる。また、水洗大便器は、下方領域において流速の変化が小さい旋回流を形成し、汚物を排出路に押し込み、汚物を排出することができる。
【００１０】
また、前記第１領域を形成する曲面は、前記上方領域から前記下方領域に向けて徐々に曲率が変化することを特徴とする。
【００１１】
これにより、水洗大便器は、流速の変化が大きい旋回流から、流速の変化が小さい旋回流へ変更する際のエネルギーロスを低減することができ、汚物の排出性を向上させることができる。
【００１２】
また、前記上方領域を形成する曲面の曲率は、前記第２領域を形成する曲面の曲率とは異なることを特徴とする。
【００１３】
これにより、水洗大便器は、上方領域の旋回流、および第２領域の旋回流を異なる流速で旋回させることができる。そのため、水洗大便器は、汚物の攪拌性を向上させ、汚物の排出性を向上させることができる。
【００１４】
また、前記下方領域を形成する曲面の曲率は、前記第２領域を形成する曲面の曲率よりも小さいことを特徴とする。
【００１５】
これにより、水洗大便器は、第２領域から下方領域に旋回流をスムーズに誘導することができ、汚物の排出性を向上させることができる。
【発明の効果】
【００１６】
実施形態の一態様によれば、汚物の排出性を向上させることができる。
【図面の簡単な説明】
【００１７】
【図１】図１は、実施形態に係る水洗大便器の左側面図である。
【図２】図２は、実施形態に係る便器本体の平面図である。
【図３】図３は、図２のIII-III断面図である。
【図４】図４は、図３のIV-IV断面における便器本体の断面図である。
【図５】図５は、図２のV-V断面図である。
【図６】図６は、図３のVI-VI断面における溜水部の断面図である。
【図７】図７は、図３のVII-VII断面における溜水部の断面図である。
【図８】図８は、図４のＡ〜Ｇに示す断面における第１ガイド部、および第２ガイド部の表面形状を重ねた図である。
【図９】図９は、ボウル部における第１洗浄水、および第２洗浄水の流れを説明する図である。
【発明を実施するための形態】
【００１８】
以下、添付図面を参照して、本願の開示する水洗大便器の実施形態を詳細に説明する。なお、以下に示す実施形態によりこの発明が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１９】
＜水洗大便器の全体構成＞
まず、図１を参照して実施形態に係る水洗大便器１の全体構成について説明する。図１は、実施形態に係る水洗大便器１の左側面図である。また、図１では、壁面８および床面９を断面で示している。
【００２０】
また、図１には、説明をわかりやすくするために、鉛直上向きを正方向とするＺ軸を含む３次元の直交座標系を図示している。かかる直交座標系は、他の図においても図示している場合がある。かかる直交座標系では、Ｙ軸の負方向を前方、Ｙ軸の正方向を後方、Ｘ軸の正方向を右方、Ｘ軸の負方向を左方と規定している。このため、以下の説明において、Ｘ軸方向を左右方向、Ｙ軸方向を前後方向、Ｚ軸方向を上下方向という場合がある。
【００２１】
また、実施形態に係る水洗大便器１は、壁面８に取り付けられる、いわゆる壁掛け式の水洗大便器である。なお、水洗大便器は、床面９に設置される、いわゆる床置き式の水洗大便器であってもよい。
【００２２】
水洗大便器１は、便器本体２と、局部洗浄装置３とを備える。実施形態に係る水洗大便器１は、洗浄水源から供給される洗浄水により便器本体２を洗浄して汚物を排出する洗い落とし式大便器（ウォッシュダウン式便器）である。また、便器本体２は、例えば、陶器製である。便器本体２の詳細については、後述する。
【００２３】
局部洗浄装置３は、洗浄ノズル、ノズル駆動用モータ、モータ制御装置（いずれも不図示）などを備える。局部洗浄装置３は、使用者の局部洗浄用として便器本体２の上部に設けられ、洗浄ノズルから噴出させた洗浄水によって使用者の局部を洗浄する。
【００２４】
水洗大便器１では、貯水タンク４に接続された給水配管４ａを経て、便器本体２に洗浄水が供給される。また、水洗大便器１は、汚物を洗浄水と共に排水配管５へ排出する。なお、貯水タンク４は便器本体２の後方に載置され、貯水タンク４から便器本体２へ直接洗浄水を供給するものであってもよい。
【００２５】
また、水洗大便器１は、局部洗浄装置３に局部洗浄用の洗浄水を供給する給水ホース６ａと、局部洗浄装置３に電力を供給する電源ケーブル６ｂとを備える。
【００２６】
＜便器本体＞
次に、実施形態に係る便器本体２について図２〜図５を参照し説明する。図２は、実施形態に係る便器本体２の平面図である。図３は、図２のIII-III断面図である。図４は、図３のIV-IV断面における便器本体２の断面図である。図５は、図２のV-V断面図である。
【００２７】
便器本体２は、ボウル部１０と、リム部１１と、第１吐水口１２（吐水口）と、第２吐水口１３（吐水口）と、溜水部１４とを備える。便器本体２は、左方に形成された第１吐水口１２、および右方に形成された第２吐水口１３から洗浄水をそれぞれ吐水し、汚物を排出する。以下では、第１吐水口１２から吐水される洗浄水を「第１洗浄水」と称し、第２吐水口１３から吐水される洗浄水を「第２洗浄水」と称する場合がある。
【００２８】
ボウル部１０は、ボウル形状に形成され、汚物を受ける。ボウル部１０は、第１ガイド部２０と、第２ガイド部２１（旋回部）とを備える。第１ガイド部２０、および第２ガイド部２１の詳細については、後述する。
【００２９】
リム部１１は、ボウル部１０の上部に設けられる。リム部１１は、ボウル部１０の上端から上方に延びる側壁部１１ａと、側壁部１１ａの上端からボウル部１０の内側に延びる上壁部１１ｂとを備える。側壁部１１ａ、および上壁部１１ｂは、ボウル部１０の周縁に沿って形成される。リム部１１は、第１洗浄水が外に飛び出さないように、オーバーハングした形状に形成される。
【００３０】
便器本体２ではリム部１１とボウル部１０とによって、第１吐水口１２から吐水された第１洗浄水の主流が流れる通水路１５が形成される。具体的には、通水路１５は、リム部１１の側壁部１１ａ、および上壁部１１ｂと、ボウル部１０の第２ガイド部２１の一部（以下、「底面壁２１ａ」と称する。）とによって形成される。なお、通水路１５の底面壁２１ａは、リム部１１によって形成されてもよい。通水路１５は、第１吐水口１２から吐水された第１洗浄水の主流をボウル部１０の後方まで旋回させるように形成される。
【００３１】
本明細書において、主流とは、吐水口からボウル部１０に吐水された洗浄水の内、ボウル部１０の中で水勢が大きい流れである。また、水勢が大きいとは、流量の大きさや流速がボウル部１０の中で、より大きいことを指す。
【００３２】
通水路１５は、第１吐水口１２側からボウル部１０の前端に向けて上り傾斜となるように形成される。具体的には、通水路１５では、底面壁２１ａが、第１吐水口１２側からボウル部１０の前端に向けて高さが高くなるように形成される。底面壁２１ａは、第１吐水口１２側からボウル部１０の前端に向けて高さが連続して高くなるように形成される。また、側壁部１１ａの上下方向の長さはボウル部１０の前端に向けて短くなるように構成されている。
【００３３】
第１吐水口１２側の底面壁２１ａの端部は、第１吐水口１２よりも下方に設けられる。底面壁２１ａの端部は、第１洗浄水が吐水される吐水領域を拡大させる。以下では、第１吐水口１２よりも下方に位置する底面壁２１ａの端部を「領域拡大部２１ｂ（拡大部）」と称する場合がある。
【００３４】
また、領域拡大部２１ｂは、リム部１１側、具体的には、リム部１１の側壁部１１ａ側よりも溜水部１４側が低くなるように形成される。
【００３５】
また、リム部１１には、第２吐水口１３の前方に突出部１１ｃが形成される。突出部１１ｃは、通水路１５を遮るように、ボウル部１０の内側に向けて突出する。突出部１１ｃは、第１洗浄水の主流の向きを変えて、第１洗浄水の主流を溜水部１４に流入させる。
【００３６】
第１吐水口１２は、左後方側のボウル部１０の上部に形成される。第１吐水口１２は、共通導水路１６から分岐する第１導水路１６ａを介して供給される第１洗浄水をリム部１１に沿って吐水する。共通導水路１６は、給水配管４ａ（図１参照）が接続され、給水配管４ａを介して洗浄水が供給される。第１吐水口１２は、第１洗浄水をリム部１１に沿って後方から前方に向けて吐水する。
【００３７】
第２吐水口１３は、右後方側のボウル部１０の上部に形成される。第２吐水口１３は、共通導水路１６から分岐する第２導水路１６ｂを介して供給される第２洗浄水をボウル部１０に吐水する。
【００３８】
第２吐水口１３は、ボウル部１０の後端に形成された後壁部２２に沿って第２洗浄水を吐水する。第２吐水口１３は、洗浄水を右方から左方に向けて吐水する。後壁部２２は、後方側に窪むように形成され、第２吐水口１３から吐水された第２洗浄水を旋回させる。
【００３９】
＜溜水部＞
次に、溜水部１４について、図３、図６および図７を参照し説明する。図６は、図３のVI-VI断面における溜水部１４の断面図である。図７は、図３のVII-VII断面における溜水部１４の断面図である。
【００４０】
溜水部１４は、ボウル部１０の下方に設けられる。溜水部１４は、洗浄水の一部を溜水として貯留する。溜水部１４は、排出路１７が接続され、汚物を洗浄水とともに排出路１７に排出する。排出路１７は、排水配管５（図１参照）に接続される。溜水部１４は、前端の高さが最も低くなるように形成される。
【００４１】
溜水部１４は、前面部３０と、後面部３１と、一対の側面部３２と、底面部３３とを備える。前面部３０は、前方に突出するように湾曲して形成される。また、後面部３１は、後方に突出するように湾曲して形成される。また、底面部３３には、排出路１７が接続される。
【００４２】
一対の側面部３２は、後端間の距離が前端間の距離よりも長く、前方から後方に広がるように形成される。すなわち、溜水部１４は、平面視において、後方側が前方側よりも大きくなるように形成される。
【００４３】
一対の側面部３２には、向かい合う側面部３２に向けて突出する凸面３２ａが形成される。凸面３２ａは、側面部３２が全体的に、他方の側面部３２に向けて突出するように湾曲して形成される。なお、凸面３２ａは、側面部３２の一部が、他方の側面部３２に向けて突出するように湾曲して形成されてもよい。凸面３２ａは、上下方向に沿って形成される。凸面３２ａの下端は、底面部３３よりも上方に位置する。すなわち、凸面３２ａは、底面部３３に接続されておらず、凸面３２ａと底面部３３との間には隙間が形成される。なお、凸面３２ａの下端は、底面部３３まで形成されてもよい。
【００４４】
なお、前面部３０と一対の側面部３２とは、曲面によって接続される。また、後面部３１と一対の側面部３２とは、曲面によって接続される。
【００４５】
溜水部１４には、排出路１７の上部の領域である第１領域１００と、第１領域１００よりも前方の領域である第２領域１０１とが形成される。第１領域１００、および第２領域１０１は、平面視における凸面３２ａの頂点によって区画される。凸面３２ａの頂点よりも後方側の溜水部１４が第１領域１００であり、凸面３２ａの頂点よりも前方側の溜水部１４が第２領域１０１である。凸面３２ａは、第１領域１００、および第２領域１０１に渡り形成される。
【００４６】
第１領域１００には、排出路１７側である下方領域１００ａと、下方領域１００ａよりも上方の上方領域１００ｂとが形成される。溜水部１４は、上方領域１００ｂにおいて、下方領域１００ａよりも旋回流の流速の変化が大きくなるように形成される。具体的には、上方領域１００ｂを形成する曲面の曲率は、下方領域１００ａを形成する曲面の曲率よりも大きい。
【００４７】
例えば、後面部３１と側面部３２とを接続する曲面において、上方領域１００ｂを形成する曲面の曲率は、下方領域１００ａを形成する曲面の曲率よりも大きい。なお、上方領域１００ｂを形成する後面部３１の曲率を、下方領域１００ａを形成する後面部３１の曲率よりも大きくしてもよい。
【００４８】
なお、上方領域１００ｂから下方領域１００ａへ遷移する領域においては、曲面の曲率が連続して変化するように形成される。
【００４９】
また、第１領域１００は、第２領域１０１よりも大きい旋回半径を有する旋回流が生じるように形成される。具体的には、第１領域１００の水平方向における断面積は、第２領域１０１の水平方向における断面積よりも大きい。
【００５０】
また、第１領域１００、および第２領域１０１は、上方領域１００ｂ、および第２領域１０１において、異なる流速の旋回流が生じるように形成される。具体的には、上方領域１００ｂを形成する曲面の曲率は、第２領域１０１を形成する曲面の曲率とは異なっている。例えば、上方領域１００ｂを形成する後面部３１の曲率は、第２領域１０１を形成する前面部３０の曲率とは異なっている。また、上方領域１００ｂを形成する後面部３１と側面部３２とを接続する曲面の曲率は、第２領域１０１を形成する前面部３０の曲率とは異なっている。
【００５１】
また、第１領域１００、および第２領域１０１は、下方領域１００ａにおいて第２領域１０１よりも流速が小さい旋回流が生じるように形成される。具体的には、下方領域１００ａを形成する曲面の曲率は、第２領域１０１を形成する曲面の曲率よりも小さい。例えば、下方領域１００ａを形成する後面部３１の曲率は、第２領域１０１を形成する前面部３０の曲率よりも小さい。
【００５２】
＜第１ガイド部、および第２ガイド部＞
次に、第１ガイド部２０、および第２ガイド部２１について図３、図４、および図８を参照し説明する。図８は、図４のＡ〜Ｇに示す断面における第１ガイド部２０、および第２ガイド部２１の表面形状を重ねた図である。図８のＡ〜Ｇは、図４のＡ〜Ｇに示す断面における第１ガイド部２０、および第２ガイド部２１の表面形状に対応する。
【００５３】
第１ガイド部２０は、溜水部１４の上部に形成される。第２ガイド部２１は、第１ガイド部２０の上部に形成される。第２ガイド部２１は、第１ガイド部２０とリム部１１との間に形成される。第１ガイド部２０と第２ガイド部２１とは、曲面で形成される稜線部２３によって接続される。また、稜線部２３は第１ガイド部２０と第２ガイド部２１が接続される曲面の頂点である。
【００５４】
第１ガイド部２０は、ボウル部１０の前方から後方に向かうにつれて広がるように形成される。具体的には、第１ガイド部２０は、ボウル部１０の前方から後方に向かうにつれて第１ガイド部２０の上端が左右方向の外側に位置するように形成される。すなわち、稜線部２３は、ボウル部１０の前方から後方に向けて広がるように形成される。換言すると、稜線部２３は、前方から後方に向かうにつれて、左右方向におけるボウル部１０の中心線Ｏからの距離が長くなる。
【００５５】
また、第１ガイド部２０は、ボウル部１０の前方に向かうにつれて溜水部１４の上端から第１ガイド部２０の上端までの長さが長くなる。具体的には、第１ガイド部は、ボウル部１０の前方に向かうにつれて溜水部１４の上端から第１ガイド部２０の上端までの表面の長さが長くなる。
【００５６】
第１ガイド部２０は、左右方向におけるボウル部１０の中心線Ｏに対し、非対称である。以下においては、中心線Ｏに対して左方の第１ガイド部２０を「第１ガイド部２０ａ」とし、ボウル部１０の左右方向における中心線に対して右方の第１ガイド部２０を「第１ガイド部２０ｂ」として説明することがある。すなわち、第１吐水口１２側の第１ガイド部２０を「第１ガイド部２０ａ」とし、第２吐水口１３側の第１ガイド部２０を「第１ガイド部２０ｂ」として説明することがある。
【００５７】
第１ガイド部２０ａは、第１吐水口１２よりも後方からボウル部１０の前端にかけて形成される。第１ガイド部２０は、領域拡大部２１ｂから下方に流れる第１洗浄水、および第２洗浄水を第１領域１００に流入させるように形成される。
【００５８】
第１ガイド部２０ａは、後方から前方に向かうにつれて傾斜が大きくなるように形成される。具体的には、第１ガイド部２０ａは、図４、および図８においてＡ〜Ｃに示すように、前後方向において、第１吐水口１２付近から溜水部１４の第２領域１０１付近まで、後方から前方に向かうにつれて傾斜が大きくなるように形成される。なお、第１ガイド部２０ａは、第１吐水口１２付近から第２領域１０１の前端付近まで、後方から前方に向かうにつれて傾斜が大きくなるように形成されてもよい。傾斜は、床面９（図１参照）からの角度である。そのため、第１ガイド部２０が垂直に近づくほど、傾斜が大きくなる。
【００５９】
また、第１ガイド部２０ａは、溜水部１４の前端付近から前方に向かうにつれて傾斜が小さくなるように形成される。
【００６０】
第１ガイド部２０ｂは、突出部１１ｃの下方からボウル部１０の前端にかけて形成される。第１ガイド部２０ｂは、溜水部１４よりも前方の第１ガイド部２０（第１ガイド部２０ａ、および第１ガイド部２０ｂを含む。）に流入した第１洗浄水が、第１領域１００まで旋回し、第１領域１００に流入するように形成される。
【００６１】
また、第１ガイド部２０は、溜水部１４よりも前方の第１ガイド部２０に流入した第１洗浄水が、稜線部２３によって第１ガイド部２０ｂよりも上方の第２ガイド部２１に流入することを抑制するように設けられる。
【００６２】
また、第１ガイド部２０ｂは、図４、および図８のＡ〜Ｇに示すように、前方から後方に向けて傾斜が大きくなるように形成される。すなわち、第１ガイド部２０ｂは、前方の傾斜が小さい。
【００６３】
また、溜水部１４よりも前方の第１ガイド部２０は、図４、および図８のＦ〜Ｇに示すように、前方から後方に向かうにつれて第１ガイド部２０を形成する曲面、具体的には第１ガイド部２０の底部を形成する曲面の曲率が大きくなるように形成される。
【００６４】
第２ガイド部２１は、第１ガイド部２０よりも傾斜が小さい。第２ガイド部２１は、領域拡大部２１ｂよりも前方側の通水路１５において、第１洗浄水が通水路１５から外れて流れることを抑制する。
【００６５】
右方側の稜線部２３は、溜水部１４における前後方向の中間地点よりも後方で終端する。また、左方側の稜線部２３は、第１吐水口１２よりも後方に始端を有する。稜線部２３の曲率は、前方から後方に向かうにつれて大きくなる。
【００６６】
＜洗浄水の流れ＞
次に、ボウル部１０における洗浄水の流れについて図９を参照し説明する。図９は、ボウル部１０における第１洗浄水、および第２洗浄水の流れを説明する図である。図９では、第１洗浄水の流れを実線で示し、第２洗浄水の流れを破線で示す。なお、図９で示した洗浄水は、単にボウル部１０を流下するような洗浄水とは異なり、一定の水勢を有しているものである。
【００６７】
第１吐水口１２から吐水された第１洗浄水の主流は、通水路１５を旋回する。具体的には、第１洗浄水の主流は、第１吐水口１２から通水路１５を通り、前方に向けて流れ、通水路１５の前端、もしくは溜水部１４よりも前方側において向きが後方に変更される。後方に向けて流れる第１洗浄水の主流は、突出部１１ｃによって向きが変更されて、溜水部１４の第１領域１００に流入する。具体的には、第１洗浄水の主流は、後方、および左方から第１領域１００に流入する。
【００６８】
通水路１５は、第１吐水口１２からボウル部１０の前端に向けて底面壁２１ａの高さが高くなるように形成されている。そのため、第１洗浄水の主流が有する運動エネルギーが小さくなり、第１洗浄水の主流の旋回力が調整され、第１洗浄水の主流が旋回し過ぎることが抑制される。これにより、第１洗浄水がリム部１１を乗り上げて溢れてしまうことが抑制される。
【００６９】
また、第１洗浄水の一部は、第１吐水口１２から吐水された直後に領域拡大部２１ｂから第１ガイド部２０ａに分岐して流れ、第１ガイド部２０ａに沿って第２領域１０１に流入する。第１ガイド部２０ａは、前方となるにつれて傾斜が大きくなる。そのため、分岐した第１洗浄水は、溜水部１４よりも前方の第１ガイド部２０に流入せずに、左方から第２領域１０１に流入する。
【００７０】
また、通水路１５が上り傾斜となるように形成されているため、第１洗浄水の一部は、領域拡大部２１ｂよりも前方の通水路１５を流れる途中に、第１洗浄水の主流から第２ガイド部２１に外れる。この第２ガイド部２１に外れた第１洗浄水は、溜水部１４よりも前方の第１ガイド部２０に流入する。
【００７１】
溜水部１４よりも前方の第１ガイド部２０は、前方から後方となるにつれて第１ガイド部２０を形成する曲面の曲率が大きくなるように形成される。そのため、溜水部１４の前方の第１ガイド部２０に流入した第１洗浄水のうち、溜水部１４側に流入した第１洗浄水は、曲率が大きい第１ガイド部２０によって急激に流れ方向が変更され、第１ガイド部２０ｂに沿って後方に旋回する。従って、溜水部１４の前方の第１ガイド部２０に流入した第１洗浄水のうち、溜水部１４側に流入した第１洗浄水は、第２領域１０１への流入が抑制され、第１ガイド部２０ｂを旋回し、第１領域１００に右方から流入する。
【００７２】
また、溜水部１４よりも前方の第１ガイド部２０に流入した第１洗浄水のうち、前方側に流入した第１洗浄水は、第１ガイド部２０を大きく旋回する。溜水部１４よりも前方の第１ガイド部２０に流入した第１洗浄水のうち、前方側に流入した第１洗浄水は、長さが長い第１ガイド部２０を旋回することで、運動エネルギーが低減され、第２ガイド部２１、および通水路１５に流入することが抑制される。さらに、第１ガイド部２０を旋回する洗浄水は稜線部２３によって第２ガイド部２１に乗り上げることが抑制される。すなわち、一旦、第１洗浄水の主流から外れた第１洗浄水が、再び第１洗浄水の主流に合流することが抑制される。
【００７３】
第１洗浄水の主流から外れた第１洗浄水は、第１洗浄水の主流とは流れ方向が大きく異なっている場合があり、このような第１洗浄水が第１洗浄水の主流に合流すると、第１洗浄水の主流の勢いが低減し、第１洗浄水の主流が旋回不足となることがある。第１ガイド部２０は、第１洗浄水の主流の旋回不足の発生を抑制することができる。
【００７４】
また、溜水部１４よりも前方の第１ガイド部２０に流入した第１洗浄水のうち、前方側に流入した第１洗浄水は、旋回しつつ流下する際に、運動エネルギーが大きくなる。溜水部１４よりも前方の第１ガイド部２０に流入した第１洗浄水のうち、前方側に流入した第１洗浄水は、第２領域１０１への流入が抑制され、第１ガイド部２０ｂを旋回し、第１領域１００に右方から流入する。
【００７５】
第２洗浄水は、後壁部２２に沿って旋回した後に、第１ガイド部２０ａに沿って流れ、第２領域１０１に流入する。また、第２洗浄水は、第２吐水口１３から吐出された直後や、後壁部２２に沿って旋回する途中に、分岐し、第１領域１００にも流入する。
【００７６】
上記するように、第１洗浄水の主流、および第１洗浄水の主流から外れた第１洗浄水は、第１領域１００に流入し、第１洗浄水の一部は、第２領域１０１に流入する。また、第２洗浄水は、第１領域１００、および第２領域１０１に流入する。
【００７７】
第１領域１００、および第２領域１０１に流入する洗浄水は、第１領域１００において第１旋回流を形成し、第２領域１０１において第１旋回流とは異なる第２旋回流を形成する。
【００７８】
次に、第１旋回流、および第２旋回流について、図６、および図７を参照し説明する。
【００７９】
溜水部１４の一対の側面部３２には、図６に示すように、それぞれ凸面３２ａが形成されている。そのため、ボウル部１０を旋回しながら溜水部１４に流入した洗浄水は、平面視において、溜水部１４を構成する壁面（前面部３０、後面部３１、側面部３２）に沿った流れを形成するが、凸面３２ａによって壁面から分離した流れとなり、凸面３２ａの頂点よりも後方の第１領域１００において第１旋回流を形成し、凸面３２ａの頂点よりも前方の第２領域１０１において第２旋回流を形成する。
【００８０】
なお、凸面３２ａは、上下方向に沿って形成されており、第１領域１００の全体に第１旋回流が形成され、第２領域１０１の全体に第２旋回流が形成される。
【００８１】
第１領域１００では、第１旋回流によって汚物が攪拌される。また、第２領域１０１では、第２旋回流によって汚物が攪拌される。これにより、平面視方向で第１旋回流と第２旋回流の異なる旋回成分が溜水部１４に生成され、溜水部１４全体で汚物の攪拌性能を高めることができる。
【００８２】
また、溜水部１４から排出路１７に汚物を排出する際には、第１旋回流によって汚物が排出路１７に押し込まれ、排出路１７から排出される。また、溜水部１４から排出路１７に汚物を排出する際には、第２旋回流が第１領域１００に流入し、第２旋回流によって汚物が排出路１７に押し込まれ、排出路１７から排出される。
【００８３】
また、第１領域１００の水平方向における断面積は、第２領域１０１の水平方向における断面積よりも大きい。
【００８４】
これにより、第１領域１００では、旋回半径が大きい第１旋回流が形成され、第２領域１０１では、第１旋回流よりも旋回半径が小さい第２旋回流が形成される。そのため、第２領域１０１では、小さい旋回流によって汚物が攪拌されやすく、また、第１領域１００では、大きな旋回流が排出路１７でスムーズに流れるため汚物が排出されやすくなる。
【００８５】
また、第１領域１００を形成する曲面の曲率と、第２領域１０１を形成する曲面の曲率とは異なっている。具体的には、第１領域１００の上方領域１００ｂを形成する曲面の曲率と、第２領域１０１を形成する曲面の曲率とは異なっている。
【００８６】
これにより、上方領域１００ｂ、および第２領域１０１では、異なる流速の旋回流が形成される。
【００８７】
また、第１領域１００では、上方領域１００ｂを形成する曲面の曲率と、下方領域１００ａを形成する曲面の曲率とは異なっている。具体的には、上方領域１００ｂを形成する曲面の曲率は、下方領域１００ａを形成する曲面の曲率よりも大きい。
【００８８】
これにより、上方領域１００ｂにおいては、上方領域１００ｂを形成する曲面の曲率が大きいため第１旋回流の流速の変化が大きく、汚物が攪拌される。また下方領域１００ａにおいては、下方領域１００ａを形成する曲面の曲率が小さいため第１旋回流の流速の変化が小さく、第１旋回流の流れが滑らかになり、汚物が排出路１７に排出されやすくなる。すなわち、第１領域１００では、主に汚物を攪拌する第１旋回流が形成される上方領域１００ｂと、主に汚物を排出する第１旋回流が形成される下方領域１００ａとが形成される。
【００８９】
＜効果＞
次に、実施形態に係る水洗大便器１の効果について説明する。
【００９０】
水洗大便器１は、ボウル部１０と、リム部１１と、第１吐水口１２と、溜水部１４とを備える。ボウル部１０は、汚物を受ける。リム部１１は、ボウル部１０の上部に形成される。第１吐水口１２は、第１洗浄水を吐水する。溜水部１４は、ボウル部１０の下部に形成される。溜水部１４には、排出路１７が接続される第１領域１００と、第１領域１００よりも前方に位置する第２領域１０１とが形成される。第１吐水口１２からリム部１１に沿って吐水された第１洗浄水の主流は、ボウル部１０を旋回して第１領域１００に流入する。
【００９１】
これにより、水洗大便器１は、大きい旋回力を有する第１洗浄水の主流を第１領域１００に流入させ、第１領域１００において汚物を攪拌しながら排出路１７に押し込み、汚物を排出する。そのため、水洗大便器１は、汚物の排出性を向上させることができる。
【００９２】
また、水洗大便器１は、第１吐水口１２と、第２吐水口１３とを備える。第１吐水口１２は、リム部１１に沿って第１洗浄水を吐水する。第２吐水口１３は、第１吐水口１２とは異なる箇所に設けられ、第２洗浄水を吐水する。第１洗浄水の主流は、第１領域１００に流入する。第２洗浄水は、第２領域１０１に流入する。
【００９３】
これにより、水洗大便器１は、第１領域１００において、第１洗浄水の主流によって汚物を攪拌し、第２領域１０１において、第２洗浄水によって汚物を攪拌する。そのため、水洗大便器１は、汚物の攪拌性を向上させ、汚物の排出性を向上させることができる。また、水洗大便器１は、汚物を排出する際に、第２領域１０１から第１領域１００に流入する洗浄水によって、汚物を排出路１７に押し込み、汚物を排出路１７から排出することができる。そのため、水洗大便器１は、汚物の排出性を向上させることができる。
【００９４】
また、水洗大便器１は、第１領域１００では第１旋回流を形成し、第２領域１０１では第１旋回流とは異なる第２旋回流を形成する。
【００９５】
これにより、水洗大便器１は、各領域１００、１０１においてそれぞれ旋回流を形成し、各旋回流によって汚物を攪拌する。そのため、水洗大便器１は、例えば、溜水部１４において１つの大きな旋回流によって汚物を攪拌する場合と比較して、汚物の攪拌性を向上させ、汚物の排出性を向上させることができる。また、水洗大便器１は、第１領域１００と第２領域１０１との境界付近において、第１旋回流、および第２旋回流によって、汚物を攪拌することができる。そのため、水洗大便器１は、汚物の攪拌性を向上させ、汚物の排出性を向上させることができる。
【００９６】
また、水洗大便器１は、第１洗浄水の一部が、第１洗浄水の主流から分岐し、第２洗浄水と合流し、第２領域１０１に流入する。
【００９７】
これにより、水洗大便器１は、第１洗浄水と、第２洗浄水とを合流させて、大きな勢いを有する洗浄水によって第２領域１０１において第２旋回流を形成する。そのため、水洗大便器１は、第２領域１０１における第２旋回流の勢いを大きくすることができ、第２領域１０１における汚物の攪拌性を向上させ、汚物の排出性を向上させることができる。また、水洗大便器１は、汚物を排出する際に、大きな勢いを有する第２旋回流を第２領域１０１から第１領域１００に流入させ、汚物を排出路１７に押し込むことができる。そのため、水洗大便器１は、汚物の排出性を向上させることができる。
【００９８】
また、第１洗浄水がリム部１１に沿って流れる通水路１５を形成する底面壁２１ａは、第１吐水口１２側の端部からボウル部１０の前端に向けて高さが高くなる。
【００９９】
これにより、水洗大便器１は、第１洗浄水の主流が有する運動エネルギーを低減させ、第１洗浄水の主流の勢いを抑制する。すなわち、水洗大便器１は、第１洗浄水の主流の旋回力を調整し、第１洗浄水の主流が旋回し過ぎることを抑制することができる。そのため、水洗大便器１は、勢いが調整された第１洗浄水の主流を第１領域１００に流入させることができ、第１領域１００において汚物の攪拌性に優れた第１旋回流を形成することができる。従って、水洗大便器１は、汚物の排出性を向上させることができる。
【０１００】
また、底面壁２１ａは、ボウル部１０の前端まで高さが継続して高くなる。
【０１０１】
これにより、水洗大便器１は、第１洗浄水の主流が有する運動エネルギーを連続的に低減させることができ、第１洗浄水の主流が乱れることを抑制することができる。
【０１０２】
また、ボウル部１０は、第１洗浄水の一部が通水路１５から分岐して流れる第１ガイド部２０ａを備える。
【０１０３】
これにより、水洗大便器１は、第１洗浄水の主流が有する運動エネルギーを低減させ、第１洗浄水の主流の旋回力を調整することができる。そのため、水洗大便器１は、第１洗浄水の主流が旋回し過ぎることを抑制し、汚物の攪拌性に優れた第１旋回流を第１領域１００において形成することができる。従って、水洗大便器１は、汚物の排出性を向上させることができる。
【０１０４】
第１ガイド部２０ａは、後方から前方に向かうにつれて傾斜が大きくなる。
【０１０５】
これにより、水洗大便器１は、第１洗浄水の主流から分岐した第１洗浄水が、第１洗浄水の主流に合流することを抑制することができる。また、水洗大便器１は、第１洗浄水の主流から分岐した第１洗浄水を第２領域１０１に流入させることができる。
【０１０６】
また、溜水部１４の上端から第１ガイド部２０ｂの上端までの長さは、ボウル部１０の前方に向かうにつれて長くなる。
【０１０７】
これにより、水洗大便器１は、溜水部１４よりも前方側の第１ガイド部２０において、第１洗浄水の主流から外れた第１洗浄水を分散させ、第１ガイド部２０を流れる第１洗浄水が有する運動エネルギーを低減させることができる。そのため、水洗大便器１は、溜水部１４よりも前方側の第１ガイド部２０を流れる第１洗浄水が、第１洗浄水の主流に合流することを抑制することができ、汚物の攪拌性に優れた第１旋回流を第１領域１００において形成することができる。従って、水洗大便器１は、汚物の排出性を向上させることができる。
【０１０８】
また、溜水部１４の上端は、前端において高さが最も低い。
【０１０９】
これにより、水洗大便器１は、溜水部１４よりも前方側の第１ガイド部２０において、左右方向の中心の第１ガイド部２０の長さを長くすることができ、第１ガイド部２０を流れる第１洗浄水が有する運動エネルギーを低減させることができる。そのため、水洗大便器１は、溜水部１４よりも前方側の第１ガイド部２０を流れる第１洗浄水が、第１洗浄水の主流に合流することを抑制することができ、汚物の攪拌性に優れた第１旋回流を第１領域１００において形成することができる。従って、水洗大便器１は、汚物の排出性を向上させることができる。
【０１１０】
また、水洗大便器１は、第１吐水口１２から吐水された第１洗浄水の吐水領域を拡大させる領域拡大部２１ｂを備える。
【０１１１】
これにより、水洗大便器１は、通水路１５を形成する底面壁２１ａが第１吐水口１２側からリム部１１の前端に向けて高くなるように形成された場合であっても、第１洗浄水の通水路１５の吐水領域が小さくなることを抑制する。そのため、水洗大便器１は、通水路１５に第１洗浄水が滞留することを抑制し、スムーズに第１洗浄水を吐水することができる。従って、水洗大便器１は、第１洗浄水の主流の旋回不足を抑制することができ、汚物の排出性を向上させることができる。
【０１１２】
また、領域拡大部２１ｂは、第１吐水口１２よりも下方に形成される。
【０１１３】
これにより、水洗大便器１は、第１洗浄水が流れる通水路１５における不意な滞留の発生を抑制し、第１洗浄水の主流の旋回不足を抑制することができる。そのため、水洗大便器１は、汚物の排出性を向上させることができる。
【０１１４】
また、領域拡大部２１ｂは、第１吐水口１２側の底面壁２１ａの端部に形成される。
【０１１５】
これにより、水洗大便器１は、第１吐水口１２から吐水された直後に第１洗浄水が滞留してしまうことを抑制することができる。
【０１１６】
領域拡大部２１ｂは、リム部１１側よりもボウル部１０側が低くなるように傾斜する。
【０１１７】
これにより、水洗大便器１は、領域拡大部２１ｂに流入した第１洗浄水の一部を素早く第１ガイド部２０に流下させることができ、領域拡大部２１ｂに第１洗浄水が滞留することを抑制することができる。そのため、水洗大便器１は、第１洗浄水の主流の旋回不足を抑制することができる。従って、水洗大便器１は、汚物の排出性を向上させることができる。
【０１１８】
また、ボウル部１０は、第１洗浄水を左方から右方に旋回させるとともに、右方に旋回した第１洗浄水を第１領域１００に流入させる第１ガイド部２０ｂを備える。
【０１１９】
これにより、水洗大便器１は、第１洗浄水の主流から外れた第１洗浄水を第１領域１００に流入させることができ、第１領域１００における第１旋回流の勢いを大きくすることができる。そのため、水洗大便器１は、汚物の排出性を向上させることができる。
【０１２０】
また、第１ガイド部２０は、前方から後方に向かうにつれて広がるように形成される。
【０１２１】
これにより、水洗大便器１は、第１洗浄水の主流から外れ、第１ガイド部２０の左右方向の中央付近に流入した第１洗浄水を、第１ガイド部２０に沿って旋回させながら第１流域に流入させることができる。そのため、水洗大便器１は、第１領域１００における第１旋回流の勢いを大きくすることができ、汚物の排出性を向上させることができる。
【０１２２】
また、ボウル部１０は、第１ガイド部２０よりも上方に、第１ガイド部２０を流れる第１洗浄水とは異なる流れとなる第１洗浄水が流れる第２ガイド部２１を備える。第１ガイド部２０と第２ガイド部２１とを接続する稜線部２３は、前方から後方に向かうにつれて、左右方向におけるボウル部１０の中心線Ｏからの距離が長くなる。
【０１２３】
これにより、水洗大便器１は、第１ガイド部２０を流れる第１洗浄水が第２ガイド部２１に流入することを抑制することができる。すなわち、水洗大便器１は、第１洗浄水の主流から外れた洗浄水が第１洗浄水の主流に合流することを抑制することができる。そのため、水洗大便器１は、第１洗浄水の主流が乱れることを抑制し、第１洗浄水の主流の流速が低減することを抑制することができる。従って、水洗大便器１は、第１旋回流による汚物の排出性を向上させることができる。
【０１２４】
右方側の稜線部２３は、溜水部１４における前後方向の中間地点よりも後方で終端する。
【０１２５】
これにより、水洗大便器１は、後方まで旋回した第１洗浄水を第１領域１００に流入させることができる。また、水洗大便器１は、第１領域１００を形成する溜水部１４の後面部３１の形状に沿った第１旋回流を第１領域１００で発生させることができる。そのため、水洗大便器１は、勢いが大きな第１旋回流によって汚物を攪拌することができ、第１領域１００における汚物の攪拌性を向上させ、汚物の排出性を向上させることができる。
【０１２６】
また、溜水部１４よりも前方の第１ガイド部２０は、第１ガイド部２０を形成する曲面の曲率が前方から後方に向かうにつれて大きくなる。
【０１２７】
これにより、水洗大便器１は、溜水部１４よりも前方の第１ガイド部２０において、溜水部１４に近い箇所に流入する第１洗浄水の向きを急速に変更し、第１洗浄水が第２領域１０１に流入することを抑制することができる。そして、水洗大便器１は、第１洗浄水を右方に旋回させて、第１領域１００に流入させることができる。また、水洗大便器１は、溜水部１４よりも前方の第１ガイド部２０において、ボウル部１０の前方側に流入する第１洗浄水の向きが急速に変更されることを抑制する。そのため、水洗大便器１は、第１洗浄水が第２領域１０１に流入することを抑制し、第１洗浄水を右方に旋回させて、第１領域１００に流入させることができる。
【０１２８】
また、溜水部１４は、前面部３０と、後面部３１と、一対の側面部３２とを備える。後面部３１は、前面部３０よりも後方に形成される。一対の側面部３２は、前面部３０と後面部３１との間に形成される。一対の側面部３２のうち、少なくとも一方の側面部３２には、他方の側面部３２に向けて突出する凸面３２ａが形成される。
【０１２９】
溜水部１４に流入した洗浄水は、側面部３２に沿って流れるため、側面部３２の凸面３２ａによって旋回が分離される。これにより、水洗大便器１は、溜水部１４において、第１旋回流、および第２旋回流を形成する。そのため、水洗大便器１は、各旋回流によって汚物を攪拌することができ、汚物の攪拌性を向上させ、汚物の排出性を向上させることができる。
【０１３０】
また、溜水部１４には、排出路１７が接続される第１領域１００と、第１領域１００よりも前方に位置する第２領域１０１とが形成され、凸面３２ａは、第１領域１００から第２領域１０１に渡り形成される。
【０１３１】
これにより、水洗大便器１は、溜水部１４の形状を複雑化せずに、溜水部１４に第１旋回流、および第２旋回流を発生させることができる。
【０１３２】
また、凸面３２ａの頂点は、第１領域１００および第２領域１０１の境界に位置する。
【０１３３】
これにより、水洗大便器１は、凸面３２ａによって、排出路１７が接続される第１領域１００と、第２領域１０１とを区画することができ、第１旋回流と第２旋回流とを独立して形成することができる。そのため、水洗大便器１は、各旋回流によって、汚物を攪拌することができ、汚物の攪拌性を向上させ、汚物の排出性を向上させることができる。
【０１３４】
また、凸面３２ａは、上下方向に沿って形成される。
【０１３５】
これにより、水洗大便器１は、第１領域１００の全体で第１旋回流を形成し、第２領域１０１の全体で第２旋回流を形成することができる。そのため、水洗大便器１は、各領域１００、１０１における汚物の攪拌性を向上させ、汚物の排出性を向上させることができる。
【０１３６】
また、水平方向における第１領域１００の面積は、水平方向における第２領域１０１の面積よりも大きい。
【０１３７】
これにより、水洗大便器１は、第２領域１０１では小さい旋回半径を有する第２旋回流によって汚物を攪拌する。また、水洗大便器１は、排出路１７が接続される第１領域１００において大きい旋回半径を有する第１旋回流を発生させ、第１旋回流によって第１領域１００から汚物を排出する。そのため、水洗大便器１は、汚物の攪拌性を向上させ、汚物の排出性を向上させることができる。
【０１３８】
また、凸面３２ａは、一対の側面部３２にそれぞれ形成される。
【０１３９】
これにより、水洗大便器１は、第１領域１００において第１旋回流の形成を促進し、第２領域１０１において第２旋回流の形成を促進させることができる。そのため、水洗大便器１は、汚物の攪拌性を向上させ、汚物の排出性を向上させることができる。
【０１４０】
また、第１領域１００を形成する溜水部１４の曲面は、上下方向において曲面の曲率が異なる。
【０１４１】
これにより、水洗大便器１は、第１領域１００の上下方向において、主に汚物を攪拌させる第１旋回流と、主に汚物を排出路１７に押し込み、汚物を排出させる第１旋回流とを形成することができる。そのため、水洗大便器１は、汚物の攪拌性を向上させ、汚物の排出性を向上させることができる。
【０１４２】
また、第１領域１００には、上方領域１００ｂと、上方領域１００ｂよりも下方に形成される下方領域１００ａとが形成される。上方領域１００ｂを形成する曲面の曲率は、下方領域１００ａを形成する曲面の曲率よりも大きい。
【０１４３】
これにより、水洗大便器１は、上方領域１００ｂにおいて流速の変化が大きい第１旋回流を形成し、汚物を攪拌させることができる。また、水洗大便器１は、下方領域１００ａにおいて流速の変化が小さい第１旋回流を形成し、汚物を排出路１７に押し込み、汚物を排出することができる。
【０１４４】
また、第１領域１００を形成する曲面の曲率は、上方領域１００ｂから下方領域１００ａに向けて徐々に変化する。
【０１４５】
これにより、水洗大便器１は、流速の変化が大きい第１旋回流から、流速の変化が小さい第１旋回流へ変更する際のエネルギーロスを低減することができ、汚物の排出性を向上させることができる。
【０１４６】
また、上方領域１００ｂを形成する曲面の曲率は、第２領域１０１を形成する曲面の曲率とは異なる。
【０１４７】
これにより、水洗大便器１は、上方領域１００ｂの第１旋回流、および第２領域１０１の第２旋回流を、異なる流速で旋回させることができる。そのため、水洗大便器１は、汚物の攪拌性を向上させ、汚物の排出性を向上させることができる。
【０１４８】
また、下方領域１００ａを形成する曲面の曲率は、第２領域１０１を形成する曲面の曲率よりも小さい。
【０１４９】
これにより、水洗大便器１は、第２領域１０１から下方領域１００ａに第２旋回流をスムーズに誘導することができ、汚物の排出性を向上させることができる。
【０１５０】
＜変形例＞
変形例に係る水洗大便器１は、排出路１７を溜水部１４の前方の領域に接続してもよい。また、変形例に係る水洗大便器１は、一対の側面部３２のうち、一方の側面部３２に凸面３２ａを形成してもよい。
【０１５１】
また、変形例に係る水洗大便器１は、第１洗浄水が広がるように第１吐水口１２をテーパ形状に形成し、第１吐水口１２から第１洗浄水の吐水領域を拡大させてもよい。例えば、第１吐水口１２は、上方、または右方に第１洗浄水の吐水領域を拡大するように形成される。
【０１５２】
また、変形例に係る水洗大便器１は、上記構成の一部を含む水洗大便器であってもよい。例えば、変形例に係る水洗大便器１は、一対の側面部３２に凸面３２ａが形成されない溜水部１４を有する水洗大便器であってもよく、第１ガイド部２０が形成されないボウル部１０を有する水洗大便器であってもよい。また、例えば、変形例に係る水洗大便器１は、第１吐水口１２のみを有する水洗大便器であってもよい。
【０１５３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１５４】
１        水洗大便器
２        便器本体
１０      ボウル部
１１      リム部
１２      第１吐水口（吐水口）
１３      第２吐水口（吐水口）
１４      溜水部
１５      通水路
１７      排出路
２０      第１ガイド部（ガイド部）
２１      第２ガイド部（旋回部）
２１ａ    底面壁
２１ｂ    領域拡大部（拡大部）
２３      稜線部
３０      前面部
３１      後面部
３２      側面部
３２ａ    凸面
３３      底面部
１００    第１領域
１００ａ  下方領域
１００ｂ  上方領域
１０１    第２領域
【図１】
0006988867.tif 000002
【図２】
0006988867.tif 000003
【図３】
0006988867.tif 000004
【図４】
0006988867.tif 000005
【図５】
0006988867.tif 000006
【図６】
0006988867.tif 000007
【図７】
0006988867.tif 000008
【図８】
0006988867.tif 000009
【図９】
0006988867.tif 000010